(57)【要約】【課題】  顧客の購買意欲を最大限に引き出すような電子棚札システムを実現すること。【解決手段】  レシピデータとそのレシピで使用する食材群の食材識別子とを各々対応付けて記憶したレシピデータベースと、売場データをその売場にて販売される食材群の食材識別子と対応付けて記憶した売場データベースとを備える。そして、ある食材の販売促進活動が開始されると、その食材の食材識別子と対応するレシピデータと売場データとをレシピデータベース及び売場データベースからそれぞれ読み出して出力する。【選択図】        図２
2005165523.tif 000002
【特許請求の範囲】
【請求項１】
各食材を示す食材識別子と前記各食材の販売促進活動の開始時刻とを各々対応付けて記
憶した第１のデータベースと、
各食材を示す食材識別子と前記各食材の購買意欲を引き出すための好適なデータである
食材関連データとを各々対応付けて記憶した第２のデータベースと、
時刻を検出する時計手段と、
前記時計手段によって前記開始時刻の到来が検出される毎に、その時刻と対応付けて前
記第１のデータベースに記憶されている食材識別子を抽出する抽出手段と、
前記抽出手段によって抽出された食材識別子と対応する食材関連データを前記第２のデ
ータベースから読み出すデータ読み出し手段と、
当該読み出した食材関連データを出力する出力手段と
を備えたデータ提供装置。
【請求項２】
各食材を示す食材識別子と前記各食材の販売促進活動の開始時刻とを各々対応付けて記
憶したスケジュールデータベースと、
複数の料理のレシピデータとそれら各料理に用いる食材群の前記食材識別子とを各々対
応付けて記憶したレシピデータベースと、
店舗内に設けられた各売場を示す売場データと当該各売場にて販売される食材群の前記
食材識別子とを各々対応付けて記憶した売場データベースと、
時刻を検出する時計手段と、
前記時計手段によって前記開始時刻の到来が検出される毎に、その時刻と対応付けて前
記スケジュールデータベースに記憶されている食材識別子を抽出する抽出手段と、
当該抽出手段によって抽出された食材識別子と対応する１又は複数のレシピデータを前
記レシピデータベースから読み出す第１のデータ読出手段と、
前記抽出手段によって抽出された食材識別子と対応する売場データを前記売場データベ
ースから読み出す第２のデータ読出手段と、
前記第１のデータ読出手段によって読み出されたレシピデータと前記第２のデータ読出
手段によって読み出された売り場データとを出力する出力手段と
を備えるレシピ提供装置。
【請求項３】
請求項２記載のレシピ提供装置において、
各食材の価格を示す食材価格データを当該各食材の前記食材識別子と各々対応付けて記
憶した食材価格データベースを更に備え、
前記第１のデータ読出手段が、
前記読出したレシピデータと対応付けて前記レシピデータベースに記憶されているすべ
ての食材識別子をそれぞれ特定すると共に、当該特定した各食材識別子の各々と対応づけ
られた食材価格データを前記食材価格データベースから読み出し、
前記出力手段が、
当該読み出された食材価格データを出力する
レシピ提供装置。
【請求項４】
請求項２又は３記載のレシピ提供装置において、
前記出力手段が、
前記店舗内に設けられた各売場の位置関係と前記読み出された売場データに対応する売
場の位置とを共に示す店舗地図データを生成して出力する
レシピ提供装置。
【請求項５】
各食材を示す食材識別子と前記各食材の販売促進活動の開始時刻とを各々対応付けて記
憶した第１のデータベースと、
各食材を示す食材識別子と前記各食材の購買意欲を引き出すための好適なデータである
食材関連データとを各々対応付けて記憶した第２のデータベースと、
時刻を検出する時計手段と
を備えるコンピュータ装置に、
前記時計手段によって前記開始時刻の到来が検出される毎に、その時刻と対応付けて前
記第１のデータベースに記憶されている食材識別子を抽出する抽出処理と、
前記抽出処理で抽出された食材識別子と対応する食材関連データを前記第２のデータベ
ースから読み出すデータ読み出し処理と、
当該読み出した食材関連データを出力する出力処理と
を実行させるプログラム。
【請求項６】
各食材を示す食材識別子と前記各食材の販売促進活動の開始時刻とを各々対応付けて記
憶したスケジュールデータベースと、
複数の料理のレシピデータとそれら各料理に用いる食材群の前記食材識別子とを各々対
応付けて記憶したレシピデータベースと、
店舗内に設けられた各売場を示す売場データと当該各売場にて販売される食材群の前記
食材識別子とを各々対応付けて記憶した売場データベースと、
時刻を検出する時計手段と
を備えるコンピュータ装置に、
前記時計手段によって前記開始時刻の到来が検出される毎に、その時刻と対応付けて前
記スケジュールデータベースに記憶されている食材識別子を抽出する抽出処理と、
当該抽出処理で抽出された食材識別子と対応する１又は複数のレシピデータを前記レシ
ピデータベースから読み出す第１のデータ読出処理と、
前記抽出処理で抽出された食材識別子と対応する売場データを前記売場データベースか
ら読み出す第２のデータ読出処理と、
前記第１のデータ読出処理で読み出されたレシピデータと前記第２のデータ読出処理で
読み出された売場データとを出力する出力処理と
を実行させるプログラム。
【請求項７】
印刷デバイスを搭載した電子棚札と、
前記電子棚札にデータを送信する通信手段、各食材を示す食材識別子と前記各食材の販
売促進活動の開始時刻とを各々対応付けて記憶した第１のデータベース、各食材を示す食
材識別子と前記各食材の購買意欲を引き出すための好適なデータである食材関連データと
を各々対応付けて記憶した第２のデータベース、及び時刻を検出する時計手段を備えたデ
ータ提供装置と
を有する電子棚札システムの動作方法であって、
前記データ提供装置が、前記時計手段によって前記開始時刻の到来が検出される毎に、
その時刻と対応付けて前記第１のデータベースに記憶されている食材識別子を抽出する抽
出過程と、
前記データ提供装置が、前記抽出過程で抽出した食材識別子と対応する１又は複数の食
材関連データを前記第２のデータベースから読み出すデータ読出過程と、
前記データ提供装置が、前記データ読出過程で読み出した食材関連データを電子棚札に
送信するデータ送信過程と、
前記電子棚札が、前記レシピ提供装置から受信した食材関連データを前記印刷デバイス
から印刷する印刷過程と
を有する動作方法。
【請求項８】
電子棚札と、
前記電子棚札にデータを送信する通信手段、各食材を示す食材識別子と前記各食材の販
売促進活動の開始時刻とを各々対応付けて記憶したスケジュールデータベース、複数の料
理のレシピデータとそれら各料理に用いる食材群の前記食材識別子とを各々対応付けて記
憶したレシピデータベース、店舗内に設けられた各売場を示す売場データと当該各売場に
て販売される食材群の前記食材識別子とを各々対応付けて記憶した売場データベース、及
び時刻を検出する時計手段を備えたレシピ提供装置と
を有する電子棚札システムの動作方法であって、
前記レシピ提供装置が、前記時計手段によって前記開始時刻の到来が検出される毎に、
その時刻と対応付けて前記スケジュールデータベースに記憶されている食材識別子を抽出
する抽出過程と、
前記レシピ提供装置が、前記抽出過程で抽出した食材識別子と対応する１又は複数のレ
シピデータを前記レシピデータベースから読み出す第１のデータ読出過程と、
前記レシピ提供装置が、前記抽出過程で抽出した食材識別子と対応する売場データを前
記売場データベースから読み出す第２のデータ読出過程と、
前記レシピ提供装置が、前記第１のデータ読出過程で読み出したレシピデータと前記第
２のデータ読出過程で読み出した売場データとを電子棚札に送信するデータ送信過程と、
前記電子棚札が、前記レシピ提供装置から受信した売り場データとレシピデータとを自
機の出力デバイスから出力する出力過程と
を有する動作方法。
【発明の詳細な説明】
【技術分野】
【０００１】
本発明は、電子棚札システムに関する。
【背景技術】
【０００２】
小売業を営む店舗の中には、ＰＯＰ（point-of-purchase advertising）公告やリーフ
レットを極力排除することで、店舗内のクリーンなイメージを保つべく、電子棚札システ
ムを導入しているものが見られる。
電子棚札システムとは、店舗内の商品陳列棚にディスプレイデバイスを搭載した電子棚
札を設置し、これらの棚札の表示内容を遠隔から電子的に書き換えることを可能としたシ
ステムである。かかるシステムでは、各電子棚札を無線又は有線回線によってコンピュー
タに接続し、商品の価格等の情報はすべてこのコンピュータから各電子棚札へ配信される
ようになっている。
この電子棚札システムに関する発明を開示した文献には、例えば特許文献１や特許文献
２がある。
【特許文献１】特開２００１−１０９４０７
【特許文献２】特開２００２−３５２３２２
【発明の開示】
【発明が解決しようとする課題】
【０００３】
ところで、これまでの電子棚札システムにおいて、各商品陳列棚の電子棚札を介して顧
客に提示されるのは、その陳列棚に並べられた商品の名称、値段や、「お買い得です」、
「値引きしました」といったメッセージなどを記したテキストデータのみであり、商品の
価値を顧客に強く印象付けるようなデータをあわせて提示するものはなかった。
本発明は、このような背景の下に案出されたものであり、特定の商品の価値を強く印象
付けるような情報を電子棚札から顧客へ提示することで、顧客の購買意欲を最大限に引き
出すような電子棚札システムを実現することを目的とする。
【課題を解決するための手段】
【０００４】
本発明の好適な態様であるデータ提供装置は、各食材を示す食材識別子と前記各食材の
販売促進活動の開始時刻とを各々対応付けて記憶した第１のデータベースと、各食材を示
す食材識別子と前記各食材の購買意欲を引き出すための好適なデータである食材関連デー
タとを各々対応付けて記憶した第２のデータベースと、時刻を検出する時計手段と、前記
時計手段によって前記開始時刻の到来が検出される毎に、その時刻と対応付けて前記第１
のデータベースに記憶されている食材識別子を抽出する抽出手段と、前記抽出手段によっ
て抽出された食材識別子と対応する食材関連データを前記第２のデータベースから読み出
すデータ読み出し手段と、当該読み出した食材関連データを出力する出力手段とを備える
。
この態様によれば、特定の食材の販売促進活動の開始時刻になると、その食材に関する
好適なデータが出力されるので、顧客に対し、当該食材を購入する強力なインセンティブ
を与えることができる。
【０００５】
本発明の別の好適な態様であるレシピ提供装置は、各食材を示す食材識別子と前記各食
材の販売促進活動の開始時刻とを各々対応付けて記憶したスケジュールデータベースと、
複数の料理のレシピデータとそれら各料理に用いる食材群の前記食材識別子とを各々対応
付けて記憶したレシピデータベースと、店舗内に設けられた各売場を示す売場データと当
該各売場にて販売される食材群の前記食材識別子とを各々対応付けて記憶した売場データ
ベースと、時刻を検出する時計手段と、前記時計手段によって前記開始時刻の到来が検出
される毎に、その時刻と対応付けて前記スケジュールデータベースに記憶されている食材
識別子を抽出する抽出手段と、当該抽出手段によって抽出された食材識別子と対応する１
又は複数のレシピデータを前記レシピデータベースから読み出す第１のデータ読出手段と
、前記抽出手段によって抽出された食材識別子と対応する売場データを前記売場データベ
ースから読み出す第２のデータ読出手段と、前記第１のデータ読出手段によって読み出さ
れたレシピデータと前記第２のデータ読出手段によって読み出された売り場データとを出
力する出力手段とを備える。
この態様によれば、特定の食材の販売促進活動の開始時刻になると、その食材を使用し
た好適な調理例を示すレシピデータと、その食材の売り場を示す売り場データとが出力さ
れるので、顧客に対し、当該食材を購入する強力なインセンティブを与えることができる
。
【０００６】
かかる態様において、各食材の価格を示す食材価格データを当該各食材の前記食材識別
子と各々対応付けて記憶した食材価格データベースを更に備え、前記第１のデータ読出手
段が、前記読出したレシピデータと対応付けて前記レシピデータベースに記憶されている
すべての食材識別子をそれぞれ特定すると共に、当該特定した各食材識別子の各々と対応
づけられた食材価格データを前記食材価格データベースから読み出し、前記出力手段が、
当該読み出された食材価格データを出力するようにしてもよい。
この態様によると、顧客に対し、レシピに示された調理例で使用する食材の価格を提示
することができる。
【０００７】
また、上記の両態様において、前記出力手段が、前記店舗内に設けられた各売場の位置
関係と前記読み出された売場データに対応する売場の位置とを共に示す店舗地図データを
生成して出力するようにしてもよい。
この態様によると、顧客に対し、レシピデータに示された調理例で使用する各食材の売
り場位置を提示することができる。
【０００８】
本発明の別の好適な態様であるデータ提供プログラムは、各食材を示す食材識別子と前
記各食材の販売促進活動の開始時刻とを各々対応付けて記憶した第１のデータベースと、
各食材を示す食材識別子と前記各食材の購買意欲を引き出すための好適なデータである食
材関連データとを各々対応付けて記憶した第２のデータベースと、時刻を検出する時計手
段とを備えるコンピュータ装置に、前記時計手段によって前記開始時刻の到来が検出され
る毎に、その時刻と対応付けて前記第１のデータベースに記憶されている食材識別子を抽
出する抽出処理と、前記抽出処理で抽出された食材識別子と対応する食材関連データを前
記第２のデータベースから読み出すデータ読み出し処理と、当該読み出したデータを出力
する出力処理とを実行させる。
【０００９】
本発明の別の好適な態様であるレシピ提供プログラムは、各食材を示す食材識別子と前
記各食材の販売促進活動の開始時刻とを各々対応付けて記憶したスケジュールデータベー
スと、複数の料理のレシピデータとそれら各料理に用いる食材群の前記食材識別子とを各
々対応付けて記憶したレシピデータベースと、店舗内に設けられた各売場を示す売場デー
タと当該各売場にて販売される食材群の前記食材識別子とを各々対応付けて記憶した売場
データベースと、時刻を検出する時計手段とを備えるコンピュータ装置に、前記時計手段
によって前記開始時刻の到来が検出される毎に、その時刻と対応付けて前記スケジュール
データベースに記憶されている食材識別子を抽出する抽出処理と、当該抽出処理で抽出さ
れた食材識別子と対応する１又は複数のレシピデータを前記レシピデータベースから読み
出す第１のデータ読出処理と、前記抽出処理で抽出された食材識別子と対応する売場デー
タを前記売場データベースから読み出す第２のデータ読出処理と、前記第１のデータ読出
処理で読み出されたレシピデータと前記第２のデータ読出処理で読み出された売場データ
とを出力する出力処理とを実行させる。
【００１０】
本発明の別の好適な態様である動作方法は、印刷デバイスを搭載した電子棚札と、前記
電子棚札にデータを送信する通信手段、各食材を示す食材識別子と前記各食材の販売促進
活動の開始時刻とを各々対応付けて記憶した第１のデータベース、各食材を示す食材識別
子と前記各食材の購買意欲を引き出すための好適なデータである食材関連データとを各々
対応付けて記憶した第２のデータベース、及び時刻を検出する時計手段を備えたデータ提
供装置とを有する電子棚札システムの動作方法であって、前記データ提供装置が、前記時
計手段によって前記開始時刻の到来が検出される毎に、その時刻と対応付けて前記第１の
データベースに記憶されている食材識別子を抽出する抽出過程と、前記データ提供装置が
、前記抽出過程で抽出した食材識別子と対応する１又は複数の食材関連データを前記第２
のデータベースから読み出すデータ読出過程と、前記データ提供装置が、前記データ読出
過程で読み出した食材関連データを電子棚札に送信するデータ送信過程と、前記電子棚札
が、前記レシピ提供装置から受信した食材関連データを前記印刷デバイスから印刷する印
刷過程とを有する。
【００１１】
本発明の別の好適な態様である動作方法は、電子棚札と、前記電子棚札にデータを送信
する通信手段、各食材を示す食材識別子と前記各食材の販売促進活動の開始時刻とを各々
対応付けて記憶したスケジュールデータベース、複数の料理のレシピデータとそれら各料
理に用いる食材群の前記食材識別子とを各々対応付けて記憶したレシピデータベース、店
舗内に設けられた各売場を示す売場データと当該各売場にて販売される食材群の前記食材
識別子とを各々対応付けて記憶した売場データベース、及び時刻を検出する時計手段を備
えたレシピ提供装置とを有する電子棚札システムの動作方法であって、前記レシピ提供装
置が、前記時計手段によって前記開始時刻の到来が検出される毎に、その時刻と対応付け
て前記スケジュールデータベースに記憶されている食材識別子を抽出する抽出過程と、前
記レシピ提供装置が、前記抽出過程で抽出した食材識別子と対応する１又は複数のレシピ
データを前記レシピデータベースから読み出す第１のデータ読出過程と、前記レシピ提供
装置が、前記抽出過程で抽出した食材識別子と対応する売場データを前記売場データベー
スから読み出す第２のデータ読出過程と、前記レシピ提供装置が、前記第１のデータ読出
過程で読み出したレシピデータと前記第２のデータ読出過程で読み出した売場データとを
電子棚札に送信するデータ送信過程と、前記電子棚札が、前記レシピ提供装置から受信し
た売り場データとレシピデータとを自機の出力デバイスから出力する出力過程とを有する
。
【発明を実施するための最良の形態】
【００１２】
（Ａ：第１実施形態）
以下、本発明の第１実施形態に係る電子棚札システムについて説明する。本システムの
特徴とするところは、店舗内にて販売される食材の販売促進活動の開始時刻を予め設定し
ておき、ある食材の販売促進活動の開始時刻が到来すると、その食材を用いた料理のレシ
ピデータを店舗内備え付けの電子棚札から提示するようにした点である。これにより、販
売促進を意図する食材を顧客に強く印象付け、その購買意欲を最大限に引き出すことがで
きる。
なお、本実施形態における販売促進活動とは、店舗内において販売される特定商品の価
格を値下げすると共に、その商品の購買意欲を引き出すための好適な情報を顧客へ提供す
る一連の催しを意味する。
【００１３】
図１は、本システムが導入される店舗のレイアウトを示す図である。同図に示す店舗は
、入退場口Ｅと、取扱い食材の陳列棚を配置する食材陳列スペースＳと、ＰＯＳ（point 
of sale）端末等を設置するキャッシャスペースＣと、販売員その他のスタッフを待機さ
せるバックヤードＢとが設けられている。そして、上述の食材陳列スペースＳは、取り扱
われる食材の種別に応じ、野菜売り場、惣菜売り場、魚売り場、肉売り場、冷凍食品売り
場、レトルト食品売り場、調味料売り場の７つのエリアに区画されている。
【００１４】
図２は、本実施形態に係る電子棚札システムの全体構成を示すブロック図である。
本システムは、複数の電子棚札１０と、これら各電子棚札１０を管理するレシピ提供装
置２０と、各電子棚札１０とレシピ提供装置２０との間のデータ授受を仲介するデータ中
継装置３０とから構成される。
【００１５】
電子棚札１０は、図１に示した食材陳列スペースＳの各エリア毎に１つ設置されるもの
であり、そのハードウェア構成は図３のようになっている。同図に示すように、電子棚札
１０は、アンテナ部１１、通信制御回路１２、タッチディスプレイ部１３、太陽電池１４
、印刷デバイス１５、メモリ１６、及びＭＰＵ（micro processing unit）１７等を備え
ており、アンテナ部１１によって受信された無線信号は通信制御回路１２でデジタルデー
タに変換された後、ＭＰＵ１７に供給される。反対に、ＭＰＵ１７から出力されたデジタ
ルデータは通信制御回路１２にて無線信号に変換され、アンテナ部１１から送信される。
タッチディスプレイ部１３は、公知のＴＦＴ（thin film transistor）型タッチディスプ
レイであり、ＭＰＵ１７の制御の下に画像を表示する。印刷デバイス１５は、公知のプリ
ンタであり、ＭＰＵ１７の制御の下、図示しないトレイに保持されている用紙に画像を印
刷する。
なお、各電子棚札１０のメモリ１６には、各々を識別するための固有の棚札識別子が予
め記憶されている。
【００１６】
データ中継装置３０は、公知のトランシーバである。このデータ中継装置３０は、その
通信可能距離を考慮し、所定の間隔を開けて店舗内に複数設置される。各データ中継装置
３０は、望ましくは、店舗の天井に備え付けるか床の下に埋設するとよい。
【００１７】
レシピ提供装置２０は、図１のバックヤードＢに備え付けられるものであり、各データ
中継装置３０と有線接続されている。
図４は、レシピ提供装置２０のハードウェア構成を示すブロック図である。同図に示す
ように、レシピ提供装置２０は、ＲＯＭ２１、ＲＡＭ２２、ＣＰＵ２３、ハードディスク
２４、タイマ２５、通信インターフェース２６、コンピュータディスプレイ２７、マウス
２８、キーボード２９などを備えている。
このレシピ提供装置２０のハードディスク２４は、図示しないＯＳ（operating system
）のほか、食材価格データベース２４ａと、スケジュールデータベース２４ｂと、レシピ
データベース２４ｃと、売り場データベース２４ｄと、店内地図データ２４ｅと、レシピ
提供プログラム２４ｆとを記憶している。
【００１８】
図５は、食材価格データベース２４ａのデータ構造図である。同データベースは、各々
が一つの食材と対応する複数のレコードの集合体である。このデータベースを構成する一
つのレコードは、「食材」、「名称」、「標準価格」、及び「値引後価格」の各フィール
ドを有している。「食材」のフィールドには、各食材の食材識別子を記憶しており、「名
称」のフィールドには、各食材の名称を示す食材名データを記憶している。
ここで、食材識別子とは、店舗内にて販売される各食材を一意に識別するために割り振
られるコードを意味し、アルファベット「Ａ」と４桁の数列とを結合してなる。例えば、
同データベースの最上段のレコードには、「Ａ１００１」なる食材識別子が記憶され、こ
の識別子と対応する名称は「トマト」となっている。これは、この店舗内において、「ト
マト」は「Ａ１００１」という食材識別子によって管理されていることを示している。「
標準価格」のフィールドには、各食材の定価を示す標準価格データを記憶している。「値
引後価格」のフィールドには、販売促進活動中の販売価格を示す値引後価格データを記憶
している。本システムを導入した店舗では、未だ販売促進活動の対象となっていない食材
は標準価格で販売する一方で、販売促進活動の対象となった食材は値引後価格で販売する
という運用がなされる。各食材の販売促進活動の開始時刻はスケジュールデータベース２
４ｂにて各食材毎に管理されるが、詳しくは後述する。なお、以下の説明においては、標
準価格データと値引後価格データとを共に含むデータを適宜食材価格データと呼ぶ。
【００１９】
図６は、スケジュールデータベース２４ｂのデータ構造図である。同データベースは、
販売促進活動の開始の有無を３０分刻みの時刻単位で管理するタイムテーブルとして機能
する。このデータベースを構成する１つのレコードは、「時刻」と「販売促進食材」の各
フィールドを有している。「時刻」のフィールドには、３０分間刻みの時刻を示すデータ
が時系列にしたがってそれぞれ記憶されている。「販売促進食材」のフィールドには、販
売促進活動の対象となる食材の食材識別子を記憶する。
例えば、このデータベースにおいて、「時刻」の値が「１１：００」となっているレコ
ードの「販売促進食材」のフィールドには、「トマト」に割り振られた食材識別子「Ａ１
００１」が記録されているが、これは、トマトの販売促進活動が１１時００分に開始され
ることを示すものである。
ここで、このスケジュールデータベース２４ｂにおいて、どの食材の販売促進活動の開
始をどの時刻に設定するかは、ＰＯＳ端末等により顧客の消費性向の統計を取るなどして
適宜決定されることが望ましい。
例えば、食材Ａの販売数が午後６時から午後８時の間に集中しているとの統計結果を得
たときは、Ａ商品の販売促進活動の開始時刻をかかる時間帯に設定する。
【００２０】
図７は、レシピデータベース２４ｃのデータ構造図である。同データベースは、各々が
、一つの料理のレシピと対応する複数のレコードの集合体である。このデータベースを構
成する１つのレコードは、「レシピ」と「使用食材」の各フィールドを有している。「レ
シピ」のフィールドには、レシピデータの記憶領域を示すアドレスを記憶している。本実
施形態におけるレシピデータは、ＨＴＭＬ（hypertext markup language）のファイル形
式でハードディスク２４内の所定領域に記憶されており、ＣＰＵ２３は、このデータベー
スの「レシピ」のフィールドのアドレス値を参照することにより、レシピデータのファイ
ルを記憶した領域を特定してこれを読み出すことができる。一方、「使用食材」のフィー
ルドには、各レシピデータが示す調理例で材料として使用される食材群の各食材識別子を
記憶している。
【００２１】
図８は、売り場データベース２４ｄのデータ構造図である。同データベースは、各々が
、店舗内の各売り場と対応する複数のレコードの集合体である。このデータベースを構成
する１つのレコードは、「売り場」と「陳列食材」の各フィールドを有している。「売り
場」のフィールドには、本店舗の食材陳列スペースＳに設けられた各売り場（野菜売り場
、惣菜売り場、魚売り場、肉売り場、冷凍食品売り場、レトルト食品売り場、調味料売り
場）を示す売り場データが記憶されている。「陳列食材」のフィールドには、上述した各
売り場にて販売される食材群の各食材識別子が記憶されている。
【００２２】
店内地図データ２４ｅは、図１に示した店舗内のレイアウトをビットマップ化したデー
タである。
レシピ提供プログラム２４ｆは、本実施形態に特有の動作をＣＰＵ２３に実行させるた
めのプログラムである。ＣＰＵ２３は、このレシピ提供プログラム２４ｆを実行すること
により、以下の機能を営む。
ａ販促スケジュール管理機能
これは、所定の期間が経過する毎にスケジュールデータベース２４ｂを参照し、各食材の
販売促進活動の開始時刻を検出する機能である。
ｂレシピデータ出力機能
これは、販売促進活動の開始時刻に至った食材と対応するレシピデータをレシピデータベ
ース２４ｃから読み出して出力する機能である。
ｃ売り場データ出力機能
これは、販売促進活動の開始時刻に至った食材の陳列場所にマークを施した店内地図のデ
ータを出力する機能である。
【００２３】
次に本実施形態の動作について説明する。
本実施形態に係る電子棚札１０システムが導入された店舗の営業開始時刻になると、バ
ックヤードＢ内に待機するスタッフが、レシピ提供装置２０の図示しない電源を投入して
ＯＳを起動させ、更にそのハードディスク２４に記憶されたレシピ提供プログラム２４ｆ
の起動を指示する操作を行なう。これにより、ハードディスク２４からＲＡＭ２２上にレ
シピ提供プログラム２４ｆが読み出され、ＣＰＵ２３がこのプログラムをＯＳ上で実行す
ることにより、本実施形態に特有の動作が進行する。
【００２４】
図９及び１０は、本実施形態の動作を示すフローチャートである。
レシピ提供プログラム２４ｆが起動されると、現在時刻をタイマ２５が随時検出し、検
出した現在時刻を所定の間隔（例えば１分間）おきにＣＰＵ２３へ供給し続ける。
ＣＰＵ２３は、レシピ提供プログラム２４ｆを起動すると、スケジュールデータベース
２４ｂから読み出した時刻データを、ＲＡＭ２２に確保した時刻データ記憶領域へ書き込
む（Ｓ１１０）。ここで、このスケジュールデータベース２４ｂは、昇順に参照される。
したがって、レシピ起動プログラムが起動された当初は、一番目のレコードがまず参照さ
れ、このレコードの「時刻」のフィールドから読み出された時刻データが時刻データ記憶
領域へ書き込まれることになる。２番目以降のレコードから読み出された時刻データは、
この領域に順次上書きされていく。
【００２５】
ＣＰＵ２３は、この時刻データとタイマ２５から供給される現在時刻とを比較し、読み
出した時刻データが示す時刻が到来したかどうかを判断する（Ｓ１２０）。
このステップの判断結果がＮＯとなったとき、ＣＰＵ２３は、再びタイマ２５から現在
時刻が供給されるのを待ってステップ１２０の処理を実行する。
一方、このステップの判断結果がＹＥＳとなったときは、時刻データと対応するレコー
ドの「販売促進食材」のフィールドを参照し、このフィールドに食材識別子が格納されて
いるかどうかを判断する（Ｓ１３０）。
食材識別子が格納されていないときは、参照するレコードを１つ後に進め、ステップ１
１０以降の処理を実行する。一方、食材識別子が格納されているとき、ＣＰＵ２３は、こ
の食材識別子をスケジュールデータベース２４ｂから抽出してＲＡＭ２２へ記憶する（Ｓ
１４０）。
【００２６】
続いて、ＣＰＵ２３は、この食材識別子を「食材」のフィールドに記憶しているレコー
ドを食材価格データベース２４ａから特定し、特定したレコードの「名称」と「標準価格
」と「値引後価格」の各フィールドに記憶されているデータをＲＡＭ２２へ読み出す（Ｓ
１５０）。
【００２７】
ＣＰＵ２３は、食材価格データベース２４ａから読み出した各データ（食材名データと
標準価格データと値引後価格データ）を通信インターフェース２６を介して送信する（Ｓ
１６０）。
これらのデータは、データ中継装置３０にて無線信号に変換された後、各電子棚札１０
へ送信される。そして、各電子棚札１０のアンテナを介して受信された無線信号は、通信
制御回路１２にてＡ／Ｄ変換され、元のデータに復元された後、ＭＰＵ１７へ供給される
。
【００２８】
各電子棚札１０のＭＰＵ１７は、食材名データ、標準価格データ、及び値引後価格デー
タから値引告知画面の表示データを生成し、タッチディスプレイ部１３に出力する（Ｓ１
７０）。各電子棚札１０のタッチディスプレイ部１３には、値引告知画面が表示される。
図１１は、値引告知画面である。同画面右側上段には、商品ＰＲ表示欄１３ａが設けら
れている。この欄には、「ＣＨＡＮＣＥ」の欧文字を表示している。同画面右側下段には
、商品名・価格表示欄１３ｂが設けられている。この欄には、販売促進対象食材の名称、
標準価格、及び値引後価格を表示している。更に、同画面左側には、メッセージ表示欄１
３ｃが設けられている。この欄には、「この食材を使った料理のレシピを配布しています
。レシピをご覧になりたい方は、「レシピ希望」と記された下のボタンにタッチしてくだ
さい。」といったメッセージを表示し、更にその下には、「レシピ希望」と記したボタン
１３ｄが表示されている。
【００２９】
値引告知画面を参照し、レシピの取得を希望する顧客は、「レシピ希望」と記したボタ
ン１３ｄを指で触れることによって選択する。すると、その電子棚札１０のＭＰＵ１７は
、自機を識別させるための棚札識別子をレシピ出力装置２０へ送信する（Ｓ１８０）。
レシピ提供装置２０のＣＰＵ２３は、受信した棚札識別子をＲＡＭ２２に記憶する（Ｓ
１９０）。複数の電子棚札１０から各々を識別する各棚札識別子を受信した場合は、それ
らのすべてをＲＡＭ２２に記憶する。
【００３０】
ＣＰＵ２３は、ステップ１４０で読み出した食材識別子を「食材」のフィールドに記憶
しているレコードを、レシピデータベース２４ｃから特定し、特定したレコードの「レシ
ピ」のフィールドからアドレス値を読み出す（Ｓ２００）。
ＣＰＵ２３は、読み出したアドレス値が示す記憶領域からレシピデータを読み出してＲ
ＡＭ２２に記憶する（Ｓ２１０）。
続いてＣＰＵ２３は、ステップ１４０で抽出した食材識別子を「陳列食材」のフィール
ドに記憶しているレコードを売り場データベース２４ｄから特定し、特定したレコードの
「売り場」のフィールドに記憶されている売り場データを読み出す（Ｓ２２０）。
【００３１】
ＣＰＵ２３は、店内地図データ２４ｅをＲＡＭ２２へ読み出す（Ｓ２３０）。そして、
ステップ２２０で読み出した売り場データと対応する地図上の位置に所定のマークを施す
べく、この店内地図データ２４ｅの内容を修正する（Ｓ２４０）。
ＣＰＵ２３は、ステップ２００でＲＡＭ２２に記憶した棚札識別子に基づいて宛先とな
る電子棚札１０を特定し、特定した電子棚札１０に宛てて、ステップ２１０で読み出した
レシピデータとステップ２３０で修正を施した店内地図データ２４ｅとを送信する（Ｓ２
５０）。
電子棚札１０のＭＰＵ１７は、レシピデータと店内地図データ２４ｅとをレシピ提供装
置２０から受信すると、これらのデータを用いて描画した画像を印刷デバイス１５に出力
する（Ｓ２６０）。
【００３２】
印刷デバイス１５からは、販売促進対象の食材を使用した料理を示すレシピと、同食材
の陳列場所にマークが施された店内地図とを描画した印刷物が出力される。
図１２は、印刷デバイス１５から出力される印刷物の描画内容を示す図である。同図に
示すように、この印刷物の上段左側には、料理名称、その料理の調理手順などが記されて
おり、上段右側には、料理の写真が描画されている。更に、印刷物の下段には、販売促進
対象の食材の陳列場所にマークを施した店内地図が描画されている。
本実施形態においては、以上説明したような処理が、レシピ提供装置２０のタイマ２５
からＣＰＵ２３へ現在時刻が供給される毎に実行される。
【００３３】
以上説明したように、本実施形態によれば、販売促進対象となる食材の名称や値段の内
容が店内備え付けの電子棚札１０に表示されるので、店舗を訪れた顧客に対し、その食材
を広く告知することができる。
また、各電子棚札１０からは、販売促進対象となっている食材を使用した料理のレシピ
が印刷されるようになっており、その食材を購入するインセンティブを顧客からより効果
的に引き出すことができる。
更に、各電子棚札１０から出力される印刷物には、販売促進対象となっている食材の陳
列場所にマークを施した店内地図も描画されるようになっている。したがって、そのよう
な食材を陳列した売り場へ顧客を効率的に誘導することができる。
【００３４】
（Ｂ：第２実施形態）
続いて、本発明の第２実施形態を説明する。第１実施形態においては、販売促進対象の
食材を用いた好適な調理例のレシピと、その食材の陳列場所をマークした地図とが電子棚
札１０から印刷されるようになっていた。これに対し、本実施形態では、レシピに記され
た料理に使用する他の食材の情報も電子棚札１０から提示されるような構成をとる。
【００３５】
図１３は、本実施形態の動作を示すフローチャートである。同図に示すように、本実施
形態の動作では、図９に示したステップ２１０よりも後の処理が、ステップ２１１乃至ス
テップ２４１に示す処理に置き換わっている。
即ち、ステップ２１０でレシピデータをレシピデータベース２４ｃから読み出したＣＰ
Ｕ２３は、このステップにおいて特定したレコードの「使用食材」のフィールドに記憶さ
れている食材識別子をすべて読み出す（Ｓ２１１）。即ち、販売促進対象となる食材を含
め、このレシピに示された料理例で使用するすべての食材の食材識別子を読み出す。
【００３６】
次に、ＣＰＵ２３は、食材価格データベース２４ａを参照し、ステップ２１１で読み出
した各食材識別子と対応付けられた食材名データと食材価格データとをＲＡＭ２２へ各々
読み出す（Ｓ２１２）。ＣＰＵ２３は、売り場データベース２４ｄを参照し、ステップ２
１１で読み出した各食材識別子と対応付けられた売り場データをＲＡＭ２２へ各々読み出
す（Ｓ２２１）。その後、ステップ２３０に進んで店内地図データを読み出した後、ステ
ップ２２１で読み出した売り場データと対応する地図上の位置に各食材の名称と価格とを
記すべく、店内地図データ２４ｅの内容を修正する（Ｓ２４１）。
【００３７】
ＣＰＵ２３は、その後、図９に示したステップ２５０に進み、ステップ２１０で読み出
したレシピデータとステップ２４１で修正を施した店内地図データ２４ｅとを送信する。
印刷デバイス１５からは、それらのデータを用いて描画した画像が印刷される。
【００３８】
図１４は、印刷デバイス１５から出力される印刷物の描画内容を示す図である。同図に
示す印刷物は、その上段左側に料理名とその調理手順を示すレシピを、上部右側に料理の
写真をそれぞれ描画している点で図１２と共通する。一方、下段の店内地図には、レシピ
に材料として記された各食材の食材名と価格とが、それぞれを陳列した売り場と対応付け
て記されている。
【００３９】
以上説明したように、本実施形態では、販売促進対象の食材を使用するレシピだけでな
く、そのレシピに記された料理で使用するすべての食材の売り場と価格とを店内地図に記
して電子棚札１０から印刷するようになっているので、顧客に対し、それらの食材の陳列
された場所と価格とを容易に把握させることができる。
【００４０】
（Ｃ：その他の実施形態）
本願発明は、種々の変形実施が可能である。
例えば、上述の両実施形態において、各電子棚札１０のタッチディスプレイ部１３から
提示される値引告知画面は静止画像であったが、販売促進対象食材の購入を促す内容の動
画像ファイルを準備し、この動画像をタッチディスプレイ部１３に表示するようにしても
よい。また、音声を出力するスピーカを各電子棚札１０に搭載し、食材の購入を促すメッ
セージをこのスピーカから放音するようにしてもよい。
【００４１】
第１実施形態において、各食材の販売促進活動を開始する時刻はスケジュールデータベ
ース２４ｂにて一元的に管理されており、このデータベースに設定された時刻が到来する
と、レシピデータや地図データを出力するための準備処理が開始されるようになっていた
。これに対し、販売促進活動を開始する条件を、各食材の在庫数量とリンクさせるように
してもよい。このような変形例は上記実施形態に係る電子棚札システムと公知のＰＯＳシ
ステムとを連携させることで実現する。
通常、ＰＯＳシステムは、一又は複数のＰＯＳ端末とこれら端末を統括するストアコン
トローラとからなり、各ＰＯＳ端末は店舗内で取り扱われる商品名やその価格等のデータ
の供給を受ける一方、ストアコントローラは、各ＰＯＳ端末から返信されるデータを解析
することで、店舗内に配置された各商品の入荷時刻、廃棄時刻、在庫数量などを管理する
ようになっている。したがって、特定の食材の廃棄時刻が近づいているにもかかわらずそ
の残存数量が所定の数よりも多いときは、スコアコントローラからレシピ提供装置２０へ
販売促進活動の開始指令が発信され、これを受けたレシピ提供装置２０が、図９に示した
ステップ１５０以降の処理を実行する。このような構成をとることで、店舗内の在庫数量
を考慮した機動的なシステム運用が可能となる。
【００４２】
上記実施形態において、各食材を識別する食材識別子は、各食材を陳列する売り場とは
無関係にランダムに割り振られるようになっていたが、各食材を陳列する売り場毎に体系
立てられた食材識別子を割り振って、それらを管理するようにしてもよい。例えば、野菜
売り場で販売される食材には上一桁が「Ａ」で始まる食材識別子を割り振り、惣菜売り場
で販売される食材には上一桁が「Ｂ」で始まる食材識別子を割り振るといったように、販
売される売り場に応じて食材識別子の上一桁の文字を違えるようにすれば、食材識別子を
参照しただけでその売り場を特定することができる。
【００４３】
その他、インクの残量を検出するセンサを各電子棚札１０の印刷デバイス１５に搭載し
、インクの残量が所定量を下回ったときはその旨がレシピ提供装置２０に通知されるよう
にしてもよい。このような構成をとることで、人手によるインク残量の検診を定期的に行
なう必要がなくなる。
【００４４】
上述したレシピ提供プログラム２４ｆをＣＤ−ＲＯＭ（compact disk-read only memor
y）などの記憶媒体へ記憶させておき、このような記憶媒体から一般的なコンピュータ装
置に当該プログラムを読み取らせることで、係るコンピュータ装置にレシピ提供装置２０
と同様の機能を付与するようにしてもよい。また、この種のプログラムを提供するサーバ
装置をネットワーク上に設け、各コンピュータ装置の要求に応じてこのプログラムが配信
されるようにしてもよい。
【図面の簡単な説明】
【００４５】
【図１】電子棚札システムを導入する店舗のレイアウトを示す図である。
【図２】電子棚札システムの全体構成を示すブロック図である。
【図３】電子棚札のハードウェア構成を示すブロック図である。
【図４】レシピ提供装置のハードウェア構成を示すブロック図である。
【図５】食材価格データベースのデータ構造図である。
【図６】スケジュールデータベースのデータ構造図である。
【図７】レシピデータベースのデータ構造図である。
【図８】売り場データベースのデータ構造図である。
【図９】第１実施形態の動作を示すフローチャートである（前半部分）。
【図１０】第１実施形態の動作を示すフローチャートである（後半部分）。
【図１１】値引告知画面である。
【図１２】印刷物の描画内容を示す図である（第１実施形態）。
【図１３】第２実施形態の動作を示すフローチャートである。
【図１４】印刷物の描画内容を示す図である（第２実施形態）。
【符号の説明】
【００４６】
１０…電子棚札、１１…アンテナ部、１２…通信制御回路、１３…タッチディスプレイ部
、１４…太陽電池、１５…印刷デバイス、１６…メモリ、１７…ＭＰＵ、２０…レシピ提
供装置、２１…ＲＯＭ、２２…ＲＡＭ、２３…ＣＰＵ、２４…ハードディスク、２５…タ
イマ、２６…通信インターフェース、２７…コンピュータディスプレイ、２８…マウス、
２９…キーボード、３０…データ中継装置。
【図１】
2005165523.tif 000003
【図２】
2005165523.tif 000004
【図３】
2005165523.tif 000005
【図４】
2005165523.tif 000006
【図５】
2005165523.tif 000007
【図６】
2005165523.tif 000008
【図７】
2005165523.tif 000009
【図８】
2005165523.tif 000010
【図９】
2005165523.tif 000011
【図１０】
2005165523.tif 000012
【図１１】
2005165523.tif 000013
【図１２】
2005165523.tif 000014
【図１３】
2005165523.tif 000015
【図１４】
2005165523.tif 000016